(57)【特許請求の範囲】
【請求項１】
ベースバンドユニット（BBU）のカバレージ内の複数のセルのうちの第1のセルのネットワーク品質が減少すると前記BBUが判定したとき、前記BBUによって前記第1のセルの負荷情報を判定するステップと、
前記第1のセルの負荷が第1の負荷しきい値よりも小さいかまたはそれに等しいとき、リモート無線ユニット（RRU）の信号強度に従って、前記第1のセルの近隣セルのうち、前記第1のセルへの最も強い信号干渉を有する第2のセルを判定するステップと、
前記第1のセルのRRUを前記第2のセルのRRUと合成して、合成セルを取得するステップと
を含み、
前記第1のセルのRRUを前記第2のセルのRRUと合成して、合成セルを取得する前記ステップは、
前記第1のセルの負荷と前記第2のセルの負荷との和が第2の負荷しきい値よりも大きいかまたはそれに等しいとき、前記第2のセルのRRUのうち、その負荷＋前記第1のセルの負荷が前記第2の負荷しきい値よりも小さく、かつ前記第1のセルへの最も強い信号干渉を有するRRUを前記第1のセルと合成するステップと、
前記第2のセルの残りのRRUの負荷の和が前記第1の負荷しきい値よりも小さいかまたはそれに等しくなるまで、前記第2のセルの残りのRRUのうちの1つのRRUを前記第1のセルと合成する動作を繰り返し実行するステップであって、前記1つのRRUの負荷と、RRUと合成された前記第1のセルの負荷との和が前記第2の負荷しきい値よりも小さく、前記1つのRRUが、RRUと合成された前記第1のセルへの最も強い信号干渉を有し、前記第2のセルの残りのRRUが、前記第1のセルと合成されたRRUを除く前記第2のセルのRRUである、ステップと
を含む、制御方法。
【請求項２】
前記第1のセルのRRUを前記第2のセルのRRUと合成して、合成セルを取得する前記ステップが、
前記第1のセルの負荷と前記第2のセルの負荷との和が第2の負荷しきい値よりも小さいとき、前記第2のセルのすべてのRRUを前記第1のセルと合成するステップ
を含む、請求項1に記載の方法。
【請求項３】
前記第1のセルの負荷が第2の負荷しきい値よりも大きいかまたはそれに等しいとき、分割セルの負荷が前記第2の負荷しきい値よりも小さくなるように、前記リモート無線ユニット（RRU）の前記信号強度に従って前記第1のセルを分割して、少なくとも1つのRRUをそれぞれ含む複数の分割セルを取得するステップであって、前記第2の負荷しきい値が前記第1の負荷しきい値よりも大きい、ステップ
をさらに含む、請求項1または2に記載の方法。
【請求項４】
前記第1のセルを分割して、少なくとも1つのRRUをそれぞれ含む複数の分割セルを取得する前記ステップが、
前記第1のセルの2つのRRUを選択し分割して、第1の分割セルを取得するステップであって、前記2つのRRUの負荷の和が前記第2の負荷しきい値よりも小さく、前記2つのRRUが前記最も強い信号干渉を有する、ステップと、
前記第1のセルの残りのRRUの負荷の和が前記第2の負荷しきい値よりも小さいとき、前記残りのRRUを第2の分割セルとして使用するステップと、
前記第1のセルの残りのRRUの負荷の前記和が前記第2の負荷しきい値よりも大きいかまたはそれに等しいとき、前記第1のセルの残りのRRUのうち、その負荷＋前記第1の分割セルの負荷が前記第2の負荷しきい値よりも小さく、かつ前記第1の分割セルへの最も強い信号干渉を有するRRUを前記第1の分割セルと合成するステップと、
前記第1のセルの残りのRRUの負荷の和が前記第2の負荷しきい値よりも小さくなるまで、前記第1のセルの残りのRRUのうちの1つのRRUを前記第1の分割セルと合成する動作を繰り返し実行するステップであって、前記1つのRRUの負荷と、RRUと合成された前記第1の分割セルの負荷との和が前記第2の負荷しきい値よりも小さく、前記1つのRRUが、RRUと合成された前記第1の分割セルへの最も強い信号干渉を有し、前記第1のセルの残りのRRUが、合成されたRRUを除く前記第1のセルのRRUである、ステップと
を含む、請求項3に記載の方法。
【請求項５】
すべてのRRUの信号強度は、モバイル端末によって報告される複数の測定値報告から特に取得され、
前記複数の測定値報告は、信号測定中に複数のモバイル端末によって報告される測定値報告を含み、
前記第1のセルの近隣セルのうち、前記第1のセルへの最も強い信号干渉を有する第2のセルを判定する前記ステップが、
各測定値報告において前記第1のセルの各近隣セルの信号強度に対する前記第1のセルの信号強度の比を計算するステップであって、各測定値報告中のセルの信号強度が、測定値報告中の同じセルに属するすべてのRRUの信号強度の和である、ステップと、
各測定値報告において同じ近隣セルの信号強度に対する前記第1のセルの信号強度の比を累算して、和を取得し、前記和を前記第1のセルと前記近隣セルとの間の信号干渉の強度として使用するステップと、
前記第1のセルと各近隣セルとの間の信号干渉の強度に従って、前記第1のセルへの最も強い信号干渉を有する前記第2のセルを判定するステップと
を含む、請求項1から4のいずれか一項に記載の方法。
【請求項６】
ベースバンドユニット（BBU）のカバレージ内の複数のセルのうちの第1のセルのネットワーク品質が減少すると判定されたとき、前記第1のセルの負荷情報を判定するように構成された負荷判定ユニットと、
前記第1のセルの負荷が第1の負荷しきい値よりも小さいかまたはそれに等しいとき、リモート無線ユニット（RRU）の信号強度に従って、前記第1のセルの近隣セルのうち、前記第1のセルへの最も強い信号干渉を有する第2のセルを判定するように構成されたセル判定ユニットと、
前記第1のセルのRRUを前記第2のセルのRRUと合成して、合成セルを取得するように構成されたセル合成ユニットと
を備え、
前記セル合成ユニットは、
前記第1のセルの負荷と前記第2のセルの負荷との和が第2の負荷しきい値よりも大きいかまたはそれに等しいとき、前記第2のセルのRRUのうち、その負荷＋前記第1のセルの負荷が前記第2の負荷しきい値よりも小さく、かつ前記第1のセルへの最も強い信号干渉を有するRRUを前記第1のセルと合成するように構成された第1の合成サブユニットと、
前記第2のセルの残りのRRUの負荷の和が前記第1の負荷しきい値よりも小さいかまたはそれに等しくなるまで、前記第2のセルの残りのRRUのうちの1つのRRUを前記第1のセルと合成する動作を繰り返し実行するように構成された第2の合成サブユニットであって、前記1つのRRUの負荷と、RRUと合成された前記第1のセルの負荷との和が前記第2の負荷しきい値よりも小さく、前記1つのRRUが、RRUと合成された前記第1のセルへの最も強い信号干渉を有し、前記第2のセルの残りのRRUが、前記第1のセルと合成されたRRUを除く前記第2のセルのRRUである、第2の合成サブユニットと
を備える、装置。
【請求項７】
前記セル合成ユニットが、
前記第1のセルの負荷と前記第2のセルの負荷との和が第2の負荷しきい値よりも小さいとき、前記第2のセルのすべてのRRUを前記第1のセルと合成するように構成された第1の合成ユニット
を備える、請求項6に記載の装置。
【請求項８】
前記第1のセルの負荷が第2の負荷しきい値よりも大きいかまたはそれに等しいとき、分割セルの負荷が前記第2の負荷しきい値よりも小さくなるように、前記リモート無線ユニット（RRU）の前記信号強度に従って前記第1のセルを分割して、少なくとも1つのRRUをそれぞれ含む複数の分割セルを取得するように構成されたセル分割ユニットであって、前記第2の負荷しきい値が前記第1の負荷しきい値よりも大きい、セル分割ユニット
をさらに備える、請求項6または7に記載の装置。
【請求項９】
前記セル分割ユニットは、
前記第1のセルの2つのRRUを選択し分割して、第1の分割セルを取得するように構成された第1の分割ユニットであって、前記2つのRRUの負荷の和が前記第2の負荷しきい値よりも小さく、前記2つのRRUが前記最も強い信号干渉を有する、第1の分割ユニットと、
前記第1のセルの残りのRRUの負荷の和が前記第2の負荷しきい値よりも小さいとき、前記残りのRRUを第2の分割セルとして使用するように構成された第2の分割ユニットと、
前記第1のセルの残りのRRUの負荷の前記和が前記第2の負荷しきい値よりも大きいかまたはそれに等しいとき、前記第1のセルの残りのRRUのうち、その負荷＋前記第1の分割セルの負荷が前記第2の負荷しきい値よりも小さく、かつ前記第1の分割セルへの最も強い信号干渉を有するRRUを前記第1の分割セルと合成するように構成された第3の分割ユニットと、
前記第1のセルの残りのRRUの負荷の和が前記第2の負荷しきい値よりも小さくなるまで、前記第1のセルの残りのRRUのうちの1つのRRUを前記第1の分割セルと合成する動作を繰り返し実行するように構成された第4の分割ユニットであって、前記1つのRRUの負荷と、RRUと合成された前記第1の分割セルの負荷との和が前記第2の負荷しきい値よりも小さく、前記1つのRRUが、RRUと合成された前記第1の分割セルへの最も強い信号干渉を有し、前記第1のセルの残りのRRUが、合成されたRRUを除く前記第1のセルのRRUである、第4の分割ユニットと
を備える、請求項8に記載の装置。
【請求項１０】
すべてのRRUの信号強度は、モバイル端末によって報告される複数の測定値報告から特に取得され、
前記複数の測定値報告は、信号測定中に複数のモバイル端末によって報告される測定値報告を含み、
前記セル判定ユニットが、
前記第1のセルの負荷が前記第1の負荷しきい値よりも小さいかまたはそれに等しいとき、各測定値報告において前記第1のセルの各近隣セルの信号強度に対する前記第1のセルの信号強度の比を計算するように構成された第1の計算ユニットであって、各測定値報告中のセルの信号強度が、測定値報告中の同じセルに属するすべてのRRUの信号強度の和である、第1の計算ユニットと、
前記第1の計算ユニットによって計算された、各測定値報告において同じ近隣セルの信号強度に対する前記第1のセルの信号強度の比を累算して、和を取得し、前記和を前記第1のセルと前記近隣セルとの間の信号干渉の強度として使用するように構成された第2の計算ユニットと、
前記第2の計算ユニットによって計算された、前記第1のセルと各近隣セルとの間の信号干渉の強度に従って、前記第1のセルへの最も強い信号干渉を有する前記第2のセルを判定するように構成されたセル判定サブユニットと
を備える、請求項6から9のいずれか一項に記載の装置。
【請求項１１】
コンピュータに請求項1から5のいずれか一項に記載の方法を実行させるためのプログラム。
【発明の詳細な説明】
【技術分野】
【０００１】
本出願は、2013年12月30日に中国特許庁に出願された「CONTROL METHOD AND APPARATUS」と題する、中国特許出願第201310746977．3号の優先権を主張するものであり、上記中国出願の全内容が参照により本明細書に組み込まれる。
【０００２】
本出願は、通信技術の分野に関し、詳細には、制御方法および装置に関する。
【背景技術】
【０００３】
モバイルデータサービスの発展とともに、信号カバレージおよびネットワーク容量などの問題が、モバイルネットワーク事業者の増大する懸念になっている。
【０００４】
従来技術では、マルチチャネルベースバンドユニット（Baseband Unit、BBU）＋リモート無線ユニット（Remote Radio Unit、RRU）ネットワーキングソリューションが、深いネットワークカバレージなどの問題を迅速および効果的に解決することができる。BBUは、ベースバンドリソース共有機能を有し、RRUは、ワイヤレスネットワークシステムと移動局との間の通信を実装するために、信号送信および受信機能を受け持つ。
【０００５】
概して、BBUとRRUは、光ファイバーを使用することによって接続される。1つのBBUは複数のRRUをサポートし得、複数のRRUは1つのセルまたは複数のセルを形成し得る。ネットワーク展開中に、セルを形成するために適切な量のRRUが選択され得る。
【０００６】
しかしながら、本発明を実装するプロセスにおいて、ネットワークサービスが変化するとき、セルのRRUがネットワークサービスの要件を満たすことが可能でないことがあり、それにより、ネットワーク品質が影響を受け、ユーザネットワークエクスペリエンスが損なわれることが見出された。
【発明の概要】
【課題を解決するための手段】
【０００７】
本出願は、ネットワーク品質を改善し、ユーザネットワークエクスペリエンスを改善するために、制御方法および装置を提供する。
【０００８】
上記の目的を達成するために、本出願は以下の技術的解決策を提供する。
【０００９】
第1の態様は、制御方法を提供し、本方法は、
ベースバンドユニット（BBU）のカバレージ内の複数のセルのうちの第1のセルのネットワーク品質が減少するとBBUが判定したとき、BBUによって第1のセルの負荷情報を判定するステップと、
第1のセルの負荷が第1の負荷しきい値よりも小さいかまたはそれに等しいとき、リモート無線ユニット（RRU）の信号強度に従って、第1のセルの近隣セルのうち、第1のセルへの最も強い信号干渉を有する第2のセルを判定するステップと、
第1のセルのRRUを第2のセルのRRUと合成して、合成セルを取得するステップとを含む。
【００１０】
第1の態様の第1の可能な実装様式では、本方法は、
第1のセルの負荷が第2の負荷しきい値よりも大きいかまたはそれに等しいとき、分割セルの負荷が第2の負荷しきい値よりも小さくなるように、リモート無線ユニットRRUの信号強度に従って第1のセルを分割して、少なくとも1つのRRUをそれぞれ含む複数の分割セルを取得するステップであって、第2の負荷しきい値が第1の負荷しきい値よりも大きい、ステップをさらに含む。
【００１１】
第1の態様または第1の態様の第1の可能な実装様式に関して、第1の態様の第2の可能な実装様式がさらに提供され、第1の態様の第2の可能な実装様式では、第1のセルのRRUを第2のセルのRRUと合成して、合成セルを取得するステップは、
第1のセルの負荷と第2のセルの負荷との和が第2の負荷しきい値よりも小さいとき、第2のセルのすべてのRRUを第1のセルと合成するステップと、
第1のセルの負荷と第2のセルの負荷との和が第2の負荷しきい値よりも大きいかまたはそれに等しいとき、第2セルのRRUのうち、その負荷＋第1のセルの負荷が第2の負荷しきい値よりも小さく、かつ第1のセルへの強い信号干渉を有する少なくとも1つのRRUを第1のセルと合成するステップとを含む。
【００１２】
第1の態様の第2の可能な実装様式に関して、第1の態様の第3の可能な実装様式がさらに提供され、第1の態様の第3の可能な実装様式では、第2のセルのRRUのうち、その負荷＋第1のセルの負荷が第2の負荷しきい値よりも小さく、かつ第1のセルへの強い信号干渉を有する少なくとも1つのRRUを第1のセルと合成するステップは、
第2のセルのRRUのうち、その負荷＋第1のセルの負荷が第2の負荷しきい値よりも小さく、かつ第1のセルへの最も強い信号干渉を有するRRUを第1のセルと合成するステップと、
第2のセルの残りのRRUの負荷の和が第1の負荷しきい値よりも小さいかまたはそれに等しくなるまで、第2のセルの残りのRRUのうちの1つのRRUを第1のセルと合成する動作を繰り返し実行するステップであって、1つのRRUの負荷と、RRUと合成された第1のセルの負荷との和が第2の負荷しきい値よりも小さく、1つのRRUが、RRUと合成された第1のセルへの最も強い信号干渉を有し、第2のセルの残りのRRUが、第1のセルと合成されたRRUを除く第2のセルのRRUである、ステップとを含む。
【００１３】
第1の態様の第1の可能な実装様式に関して、第1の態様の第4の可能な実装様式がさらに提供され、第1の態様の第4の可能な実装様式では、第1のセルを分割して、少なくとも1つのRRUをそれぞれ含む複数の分割セルを取得するステップは、
第1のセルの2つのRRUを選択し合成して、第1の分割セルを取得するステップであって、2つのRRUの負荷の和が第2の負荷しきい値よりも小さく、2つのRRUが最も強い信号干渉を有する、ステップと、
第1のセルの残りのRRUの負荷の和が第2の負荷しきい値よりも小さいとき、残りのRRUを第2の分割セルとして使用するステップと、
第1のセルの残りのRRUの負荷の和が第2の負荷しきい値よりも大きいかまたはそれに等しいとき、第1のセルの残りのRRUのうち、その負荷＋第1の分割セルの負荷が第2の負荷しきい値よりも小さく、かつ第1の分割セルへの最も強い信号干渉を有するRRUを第1の分割セルと合成するステップと、
第1のセルの残りのRRUの負荷の和が第2の負荷しきい値よりも小さくなるまで、第1のセルの残りのRRUのうちの1つのRRUを第1の分割セルと合成する動作を繰り返し実行するステップであって、1つのRRUの負荷と、RRUと合成された第1の分割セルの負荷との和が第2の負荷しきい値よりも小さく、1つのRRUが、RRUと合成された第1の分割セルへの最も強い信号干渉を有し、第1のセルの残りのRRUが、合成されたRRUを除く第1のセルのRRUである、ステップとを含む。
【００１４】
第1の態様の第5の可能な実装様式では、すべてのRRUの信号強度は、モバイル端末によって報告される複数の測定値報告から特に取得され、複数の測定値報告は、信号測定中に複数のモバイル端末によって報告される測定値報告を含み、
第1のセルの近隣セルのうち、第1のセルへの最も強い信号干渉を有する第2のセルを判定するステップは、
各測定値報告において第1のセルの各近隣セルの信号強度に対する第1のセルの信号強度の比を計算するステップであって、各測定値報告中のセルの信号強度が、測定値報告中の同じセルに属するすべてのRRUの信号強度の和である、ステップと、
各測定値報告において同じ近隣セルの信号強度に対する第1のセルの信号強度の比を累算して、和を取得し、和を第1のセルと近隣セルとの間の信号干渉の強度として使用するステップと、
第1のセルと各近隣セルとの間の信号干渉の強度に従って、第1のセルへの最も強い信号干渉を有する第2のセルを判定するステップとを含む。
【００１５】
第2の態様によれば、制御装置は、
BBUのカバレージ内の複数のセルのうちの第1のセルのネットワーク品質が減少すると判定されたとき、第1のセルの負荷情報を判定するように構成された負荷判定ユニットと、
第1のセルの負荷が第1の負荷しきい値よりも小さいかまたはそれに等しいとき、リモート無線ユニット（RRU）の信号強度に従って、第1のセルの近隣セルのうち、第1のセルへの最も強い信号干渉を有する第2のセルを判定するように構成されたセル判定ユニットと、
第1のセルのRRUを第2のセルのRRUと合成して、合成セルを取得するように構成されたセル合成ユニットとを備える。
【００１６】
第2の態様の第1の可能な実装様式では、制御装置は、
第1のセルの負荷が第2の負荷しきい値よりも大きいかまたはそれに等しいとき、分割セルの負荷が第2の負荷しきい値よりも小さくなるように、リモート無線ユニットRRUの信号強度に従って第1のセルを分割して、少なくとも1つのRRUをそれぞれ含む複数の分割セルを取得するように構成されたセル分割ユニットであって、第2の負荷しきい値が第1の負荷しきい値よりも大きい、セル分割ユニットをさらに備える。
【００１７】
第2の態様または第2の態様の第1の可能な実装様式に関して、第2の態様の第2の可能な実装様式がさらに提供され、第2の態様の第2の可能な実装様式では、セル合成ユニットは、
第1のセルの負荷と第2のセルの負荷との和が第2の負荷しきい値よりも小さいとき、第2のセルのすべてのRRUを第1のセルと合成するように構成された第1の合成ユニットと、
第1のセルの負荷と第2のセルの負荷との和が第2の負荷しきい値よりも大きいかまたはそれに等しいとき、第2のセルのRRUのうち、その負荷＋第1のセルの負荷が第2の負荷しきい値よりも小さく、かつ第1のセルへの強い信号干渉を有する少なくとも1つのRRUを第1のセルと合成するように構成された第2の合成ユニットとを備える。
【００１８】
第2の態様の第2の可能な実装様式に関して、第2の態様の第3の可能な実装様式がさらに提供され、第2の態様の第3の可能な実装様式では、第2の合成ユニットは、
第2のセルのRRUのうち、その負荷＋第1のセルの負荷が第2の負荷しきい値よりも小さく、かつ第1のセルへの最も強い信号干渉を有するRRUを第1のセルと合成するように構成された第1の合成サブユニットと、
第2のセルの残りのRRUの負荷の和が第1の負荷しきい値よりも小さいかまたはそれに等しくなるまで、第2のセルの残りのRRUのうちの1つのRRUを第1のセルと合成する動作を繰り返し実行するように構成された第2の合成サブユニットであって、1つのRRUの負荷と、RRUと合成された第1のセルの負荷との和が第2の負荷しきい値よりも小さく、1つのRRUが、RRUと合成された第1のセルへの最も強い信号干渉を有し、第2のセルの残りのRRUが、第1のセルと合成されたRRUを除く第2のセルのRRUである、第2の合成サブユニットとを備える。
【００１９】
第2の態様の第1の可能な実装様式に関して、第2の態様の第4の可能な実装様式がさらに提供され、第2の態様の第4の可能な実装様式では、セル分割ユニットは、
第1のセルの2つのRRUを選択し合成して、第1の分割セルを取得するように構成された第1の分割ユニットであって、2つのRRUの負荷の和が第2の負荷しきい値よりも小さく、2つのRRUが最も強い信号干渉を有する、第1の分割ユニットと、
第1のセルの残りのRRUの負荷の和が第2の負荷しきい値よりも小さいとき、残りのRRUを第2の分割セルとして使用するように構成された第2の分割ユニットと、
第1のセルの残りのRRUの負荷の和が第2の負荷しきい値よりも大きいかまたはそれに等しいとき、第1のセルの残りのRRUのうち、その負荷＋第1の分割セルの負荷が第2の負荷しきい値よりも小さく、かつ第1の分割セルへの最も強い信号干渉を有するRRUを第1の分割セルと合成するように構成された第3の分割ユニットと、
第1のセルの残りのRRUの負荷の和が第2の負荷しきい値よりも小さくなるまで、第1のセルの残りのRRUのうちの1つのRRUを第1の分割セルと合成する動作を繰り返し実行するように構成された第4の分割ユニットであって、1つのRRUの負荷と、RRUと合成された第1の分割セルの負荷との和が第2の負荷しきい値よりも小さく、1つのRRUが、RRUと合成された第1の分割セルへの最も強い信号干渉を有し、第1のセルの残りのRRUが、合成されたRRUを除く第1のセルのRRUである、第4の分割ユニットとを備える。
【００２０】
第2の態様の第5の可能な実装様式では、すべてのRRUの信号強度は、モバイル端末によって報告される複数の測定値報告から特に取得され、複数の測定値報告は、信号測定中に複数のモバイル端末によって報告される測定値報告を含み、
セル判定ユニットは、
第1のセルの負荷が第1の負荷しきい値よりも小さいかまたはそれに等しいとき、各測定値報告において第1のセルの各近隣セルの信号強度に対する第1のセルの信号強度の比を計算するように構成された第1の計算ユニットであって、各測定値報告中のセルの信号強度が、測定値報告中の同じセルに属するすべてのRRUの信号強度の和である、第1の計算ユニットと、
第1の計算ユニットによって計算された、各測定値報告において同じ近隣セルの信号強度に対する第1のセルの信号強度の比を累算して、和を取得し、和を第1のセルと近隣セルとの間の信号干渉の強度として使用するように構成された第2の計算ユニットと、
第2の計算ユニットによって計算された、第1のセルと各近隣セルとの間の信号干渉の強度に従って、第1のセルへの最も強い信号干渉を有する第2のセルを判定するように構成されたセル判定サブユニットとを備える。
【００２１】
上記のことに基づいて、本出願は、制御方法および装置を提供し、ベースバンドユニットのカバレージ内の第1のセルのネットワーク品質が減少すると判定したとき、ベースバンドユニットは、第1のセルの負荷情報を判定し、第1のセルの負荷が第1の負荷しきい値よりも小さいかまたはそれに等しいとき、ベースバンドユニットは、第2のセルのRRUを選択するために、第1のセルの近隣セルのうち、第1のセルへの最も強い信号干渉を有する第2のセルを最初に判定し、合成セルを取得するためにRRUを第1のセルと合成する。合成セルの負荷が第1の負荷しきい値よりも小さいかまたはそれに等しいとき、合成セルは第1のセルとしても判定され得、したがって、RRUは、合成セルの負荷が第1の負荷しきい値よりも大きくなるまでさらに合成される。セル間の干渉がRRU合成によって低減され得るように、最も強い信号干渉を有するセルのRRUが、合成されるべきRRUとして選択され、それにより、負荷と干渉との間のバランスが保証され、ネットワーク品質が改善され、ユーザネットワークエクスペリエンスが改善される。
【００２２】
本出願の実施形態における技術的解決策についてより明らかに説明するために、以下で、本実施形態について説明するために必要とされる添付の図面を手短に紹介する。当然ながら、以下の説明における添付の図面は本出願の実施形態を示すものにすぎず、当業者であれば、創造的な取り組みなしにこれらの添付の図面から他の図面をさらに導出するであろう。
【図面の簡単な説明】
【００２３】
【図１】本出願の一実施形態による制御方法の一実施形態のフローチャートである。
【図２】本出願の一実施形態による制御方法の別の実施形態のフローチャートである。
【図３】本出願の一実施形態による制御方法のさらに別の実施形態のフローチャートである。
【図３ａ】本出願の一実施形態によるセル合成の方法のフローチャートである。
【図３ｂ】本出願の一実施形態によるセルを分割する方法のフローチャートである。
【図４】本出願の一実施形態による制御装置の一実施形態の概略構造図である。
【図５】本出願の一実施形態による制御装置の別の実施形態の概略構造図である。
【図６】本出願の一実施形態による制御装置のさらに別の実施形態の概略構造図である。
【発明を実施するための形態】
【００２４】
以下、本出願の実施形態における添付の図面を参照しながら本出願の実施形態における技術的解決策について明確かつ十分に説明する。当然ながら、説明する実施形態は、本出願の実施形態のすべてではなく、そのいくつかにすぎない。創造的な取り組みなしに本出願の実施形態に基づいて当業者によって取得されるすべての他の実施形態は、本出願の保護範囲内に入る。
【００２５】
本出願の主要な発案のうちの1つは以下を含み得る。
【００２６】
ベースバンドユニットが、ベースバンドユニットのカバレージ内の第1のセルのネットワーク品質が減少すると判定したとき、ベースバンドユニットは、第1のセルの負荷情報を判定し、第1のセルの負荷が第1の負荷しきい値よりも小さいかまたはそれに等しいとき、ベースバンドユニットは、第2のセルのRRUを選択するために、第1のセルの近隣セルのうち、第1のセルへの最も強い信号干渉を有する第2のセルを判定し、合成セルを取得するためにRRUを第1のセルと合成する。合成セルの負荷が第1の負荷しきい値よりも小さいかまたはそれに等しいとき、合成セルは第1のセルとしても判定され得、したがって、RRU合成は、合成セルの負荷が第1の負荷しきい値よりも大きくなるまで継続する。セル間の干渉がRRU合成によって低減されるように、最も強い信号干渉を有するセルのRRUが、合成されるべきRRUとして選択され、それにより、負荷と干渉との間のバランスが保証され、ネットワーク品質が改善され、ユーザネットワークエクスペリエンスが改善される。
【００２７】
図1は、本出願の一実施形態による制御方法の一実施形態のフローチャートであり、本方法は以下のいくつかのステップを含み得る。
【００２８】
ステップ101：ベースバンドユニット（Baseband Unit、BBU）のカバレージ内の複数のセルのうちの第1のセルのネットワーク品質が減少すると判定したとき、BBUが第1のセルの負荷情報を判定する。
【００２９】
BBUは、セルのトラフィック統計情報に従ってセルのネットワーク品質および負荷を判定し得る。トラフィック統計情報は、呼ドロップ率、ハンドオーバ成功率、ハンドオーバの量、負荷、およびスペクトル効率などの情報を含み得る。ネットワーク品質が減少するかどうかが判定され得るように、トラフィック統計情報に従って、呼ドロップ率またはハンドオーバ成功率などのキーパフォーマンスインジケータ（Key Performance Indicators、KPI）がしきい値を下回るかどうかが判定され得る。
【００３０】
本出願のこの実施形態における第1のセルは、複数のセルのうちのいずれかのセルを指す。
【００３１】
本出願のこの実施形態は、1つのBBUが複数のRRUをサポートする、マルチチャネルBBU＋リモート無線ユニット（Remote Radio Unit、RRU）ネットワーキングソリューションの適用シナリオに主に適用され、この実施形態は、屋内ネットワークカバレージに特に適用可能である。
【００３２】
ステップ102：第1のセルの負荷が第1の負荷しきい値よりも小さいかまたはそれに等しいとき、RRUの信号強度に従って、第1のセルの近隣セルのうち、第1のセルへの最も強い信号干渉を有する第2のセルを判定する。
【００３３】
本発明を実装するプロセスにおいて、セル間の干渉が強く、セルの負荷が過剰に高いとき、ネットワーク品質が通常減少することが見出された。したがって、ネットワーク品質が減少したとき、セル間の干渉を低減させ、ネットワーク品質を改善するために、セルのRRUは、セルの負荷情報に従って調整され得る。
【００３４】
RRUの信号強度は、モバイル端末による測定によって取得され得る。
【００３５】
この実施形態では、第1のセルの負荷は第1の負荷しきい値と比較され、第1のセルの負荷が第1の負荷しきい値よりも小さいかまたはそれに等しい場合、RRUを合成する方法で、セル間の干渉が低減され得、ユーザエクスペリエンスが改善され得る。
【００３６】
第1の負荷しきい値は、セルが耐えることができる負荷の最小値を与える。
【００３７】
具体的には、本出願のこの実施形態では、第1のセルの近隣セルのうち、第1のセルに最も強い干渉を有するセルが最初に判定され得、説明しやすいように、このセルは第2のセルとして定義される。
【００３８】
近隣セル間に信号干渉があり、各セルはRRUを含む。したがって、信号干渉の強度は、セルのRRUの信号強度に従って判定され得る。
【００３９】
可能な一実装様式では、近隣セルの信号強度がより大きいとき、第1のセルへの干渉はより強くなり得る。したがって、第1のセルへの最も強い信号干渉を有する第2のセルが判定され得、すなわち、第2のセルは、第1のセルの近隣セルのうち、最大信号強度を有するセルである。
【００４０】
ステップ103：合成セルを取得するために、第1のセルのRRUを第2のセルのRRUと合成する。
【００４１】
第2のセルが判定された後に、新しいセル、すなわち、合成セルを形成するために、第1のセルのRRUと第2のセルのRRUは合成され得る。第1のセルは、第1のセルへの最も強い信号干渉を有する第2のセルのRRUと合成されるので、合成セルと別のセルとの間の干渉は低減され、それにより、ユーザエクスペリエンスは改善される。
【００４２】
第1のセルのRRUと合成された第2のセルのRRUは、第2のセルのすべてのRRU、または第2のセルのいくつかのRRUであり得る。信号干渉をさらに低減させるために、第1のセルへの比較的強い信号干渉を有するRRUが、第2のセルから特に選択され得る。
【００４３】
間違いなく、実際の適用例において起こり得る事例として、第1のセルを第2のセルのすべてのRRUと合成することによって取得される合成セルの負荷は、依然として、第1の負荷しきい値よりも小さいかまたはそれに等しいことがある。この場合、合成セルは第1のセルとして判定され、最終的に取得される合成セルの負荷が第1の負荷しきい値よりも大きくなるまで、ステップ101からステップ103の動作が繰り返し実行される。
【００４４】
合成セルの負荷が第1の負荷しきい値よりも大きいとき、合成セルを適用可能にするために、パラメータ構成などの動作が合成セル上で実行され得る。
【００４５】
この実施形態では、第1のセルのネットワーク品質が減少し、第1のセルの負荷が第1の負荷しきい値よりも小さいかまたはそれに等しいとき、第1のセルの近隣セルのうち、第1のセルへの最も強い信号干渉を有する第2のセルが最初に判定され、その結果、第2のセルのRRUが選択され、第1のセルと合成されて、合成セルが取得される。ベースバンドユニットは、合成セルを第1のセルとして使用し、合成セルの負荷が第1の負荷しきい値よりも小さいかまたはそれに等しいどうかを検出して、合成セルの負荷が第1の負荷しきい値よりも大きくなるまで、RRUをさらに合成し得る。最も強い信号干渉を有するセルのRRUが、合成されるべきRRUとして選択され、その結果、セル間の干渉がRRU合成によって低減され得、それにより、負荷と干渉との間のバランスが保証され、ネットワーク品質が改善され、ユーザネットワークエクスペリエンスが改善される。
【００４６】
図2は、本出願の一実施形態による制御方法の別の実施形態のフローチャートであり、本方法は以下のいくつかのステップを含み得る。
【００４７】
ステップ201：BBUのカバレージ内の複数のセルのうちの第1のセルのネットワーク品質が減少すると判定したとき、BBUが第1のセルの負荷情報を判定する。
【００４８】
ステップ202：第1のセルの負荷が第1の負荷しきい値よりも小さいかまたはそれに等しいかどうかを判定し、第1のセルの負荷が第1の負荷しきい値よりも小さいかまたはそれに等しい場合、ステップ203を実行し、あるいは第1のセルの負荷が第1の負荷しきい値よりも大きい場合、プロセスを終了する。
【００４９】
ステップ203：RRUの信号強度に従って、第1のセルの近隣セルのうち、第1のセルへの最も強い信号干渉を有する第2のセルを判定する。
【００５０】
可能な一実装様式として、RRUの信号強度は、測定を実施するようにモバイル端末をトリガすることによって取得され得、測定結果は、測定値報告（Measurement Report、MR）中で搬送され、モバイル端末によって報告され得る。したがって、RRUの信号強度は、モバイル端末によって報告される複数の測定値報告から取得され得る。
【００５１】
複数の測定値報告は、複数のモバイル端末による測定によって取得された測定値報告を含み得る。複数のモバイル端末が含まれるとき、複数の測定値報告は、モバイル端末が測定時間期間内の異なるロケーションにおいて測定を別々に実施するときにモバイル端末が取得し得る測定値報告を含む。
【００５２】
各測定値報告は、測定によって取得されるRRUの信号強度を含み、異なるロケーションにおける測定によって取得された測定値報告中に含まれるRRUは異なり、異なるモバイル端末による測定によって取得された測定値報告中に含まれるRRUも異なり得る。
【００５３】
したがって、各セルの信号強度は、RRU間の、RRUとセルとの間の、およびセル間の信号干渉の強度が判定され得るように、複数の測定値報告におけるRRUの信号強度に従う統計値収集によって取得され得る。
【００５４】
理解しやすいように、複数の測定値報告の量は特にnであり、BBUはm個のRRUをサポートし、ここでmとnは両方とも正の整数であると仮定する。複数の測定値報告における測定によって別々に取得されるRRUの信号強度は、表1を使用することによって表され得る。
【００５５】
【表１】
0006292642.tif 000002
【００５６】
表1では、m≧3、1≦j≦m、n≧1、および1≦i≦nである。aijは、測定値報告MRiにおいて測定されるRRUjの信号強度を示す。nがより大きくなると、信号干渉の判定される強度はより正確になる。測定値報告MRiにおいてRRUjの信号強度が検出されないとき、aijは0である。
【００５７】
RRU間の、RRUとセルとの間の、およびセル間の信号干渉の強度は、複数の測定値報告における測定によって取得されるすべてのRRUの信号強度に従って計算され得る。
【００５８】
可能な一実装様式として、
いずれか2つのRRU間の信号干渉の強度は、同時に検出されたそれら2つのRRUの信号強度間の比の和であり得る。例えば、表1において、RRUkへのRRUiの信号干渉の強度は次式のようになる。
【００５９】
【数１】
0006292642.tif 000003
【００６０】
ここで、測定値報告において2つのRRUの信号強度が検出されない場合、信号干渉の強度は0である。
【００６１】
RRUとセルとの間の信号干渉の強度の場合、各測定値報告におけるセルの信号強度に対するRRUの信号強度の比が最初に計算され得、次いで、すべての比の和が計算され、ここで、セルの信号強度は、測定値報告においてセルに属するすべてのRRUの信号強度の和である。例えば、セルAが、RRUlと、RRUpと、RRUqとを含み、RRUqとセルAとの間の信号干渉の強度は次式のようになる。
【００６２】
【数２】
0006292642.tif 000004
【００６３】
セル間の信号干渉の強度の場合、各測定値報告におけるセル間の信号の信号強度の比が最初に計算され、次いで、すべての比の和が計算される。例えば、セルAが、RRUlと、RRUpと、RRUqとを含み、セルBが、RRUxと、RRUyと、RRUzとを含み、セルAとセルBとの間の信号干渉の強度は次式のようになる。
【００６４】
【数３】
0006292642.tif 000005
【００６５】
複数のRRU間の、および複数のRRUとセルとの間の信号干渉の強度を計算する方法は、上記の方法と同じである。
【００６６】
したがって、第1のセルへの最も強い干渉を有する近隣セルが、複数の測定値報告におけるRRUの信号強度に従って判定され得る。例えば、セルBの近隣セルが、セルAと、セルCと、セルDとを含み、各近隣セルとセルBとの間の信号干渉の強度が上記に従って計算され、信号干渉の強度の最大値を有するセルが第2のセルである。
【００６７】
可能な一実装様式として、第1のセルへの最も強い信号干渉を有する複数の近隣セルがあり得、すなわち、2つの近隣セルが第1のセルへの信号干渉の等しい強度を有し、この等しい強度は、別の近隣セルと第1のセルとの間の信号干渉の強度よりも大きい。この場合、より大きい量のRRUを有するセルが第2のセルとして選択され、使用され得る。
【００６８】
ステップ204：第1のセルの負荷と第2のセルの負荷との和が第2の負荷しきい値よりも小さいかどうかを判定し、第1のセルの負荷と第2のセルの負荷との和が第2の負荷しきい値よりも小さい場合、ステップ205を実行し、あるいは第1のセルの負荷と第2のセルの負荷との和が第2の負荷しきい値よりも大きいかまたはそれに等しい場合、ステップ206を実行する。
【００６９】
ステップ205：合成セルを取得するために、第1のセルのRRUを第2のセルのRRUと合成する。
【００７０】
第2の負荷しきい値は第1の負荷しきい値よりも大きく、第2の負荷しきい値は、セルが搬送することができる負荷の最大値を制限し、第2の負荷しきい値を超えた場合、セルのネットワーク品質が影響を受け得る。
【００７１】
合成セルの負荷が依然として第1の負荷しきい値よりも小さいかまたはそれに等しい場合、合成セルは再び第1のセルとして判定され得、したがって、プロセスはステップ202に戻って続行し得る。
【００７２】
ステップ206：それの負荷＋第1のセルの負荷が第2の負荷しきい値よりも小さく、第1のセルへの強い信号干渉を有する、第2のセルの少なくとも1つのRRUを、合成セルを取得するために第1のセルのすべてのRRUと合成する。
【００７３】
第1のセルの負荷と第2のセルの負荷との和が第2の負荷しきい値よりも大きいかまたはそれに等しい場合、第2のセルの一部のRRUのみが選択され、第1のセルと合成され得る。
【００７４】
それらの各々が第1のセルへの比較的強い信号干渉を有し、それの負荷＋第1のセルの負荷が第2の負荷しきい値よりも小さい、RRUが、第2のセルの一部のRRUとして選択され得る。RRUと第1のセルとの間の信号干渉の強度については、計算の精度を改善するために、ステップ203の説明を参照されたい。
【００７５】
可能な一実装様式として、ステップ206は、
それの負荷＋第1のセルの負荷が第2の負荷しきい値よりも小さく、第1のセルへの最も強い信号干渉を有する、第2のセルのRRUを第1のセルと合成するステップと、
第2のセルの残りのRRUの負荷の和が第1の負荷しきい値よりも小さいかまたはそれに等しくなるまで、第2のセルの残りのRRUのうちのRRUを第1のセルと合成する動作を繰り返し実行するステップであって、RRUの負荷と、RRUと合成された第1のセルの負荷との和が第2の負荷しきい値よりも小さく、RRUが、RRUと合成された第1のセルへの最も強い信号干渉を有し、第2のセルの残りのRRUが、第1のセルと合成されたRRUを除く第2のセルのRRUである、ステップと
を含み得る。
【００７６】
すなわち、最も強い信号干渉を有するRRUが最初に選択され、第1のセルと合成される。次いで、以下のように、第2のセルの残りのRRUの負荷の和が第1の負荷しきい値よりも大きいかどうかが判定される。
第2のセルの残りのRRUの負荷の和が第1の負荷しきい値よりも小さいかまたはそれに等しい場合、合成後の第1のセルが合成セルとして使用され、第2のセルの残りのRRUは新しいセルを形成し、合成セルと新しいセルの両方が第1のセルとして使用され得、その結果、プロセスはステップ202に戻って続行し得る。
第2のセルの残りのRRUの負荷の和が第1の負荷しきい値よりも大きい場合、第2のセルの残りのRRUの負荷の和が第1の負荷しきい値よりも小さいかまたはそれに等しくなるまで、第2のセルの残りのRRUのうちのRRUが選択され、第1のセルと合成され続け、ここで、RRUの負荷と、RRUと合成された第1のセルの負荷との和は第2の負荷しきい値よりも小さく、RRUは、RRUと合成された第1のセルへの最も強い信号干渉を有し、これらの結果、合成後の最終的な第1のセルが合成セルとして使用され、第2のセルの残りのRRUは新しいセルを形成し、合成セルおよび新しいセルも第1のセルとして判定され得、その結果、プロセスはステップ202に戻って続行し得る。
【００７７】
この実施形態では、第1のセルのネットワーク品質が減少し、第1のセルの負荷が第1の負荷しきい値よりも小さいかまたはそれに等しいとき、第1のセルの近隣セルのうち、第1のセルへの最も強い信号干渉を有する第2のセルが最初に判定され、その結果、第1のセルの負荷と第2のセルの負荷との和が第2の負荷しきい値よりも小さいとき、第1のセルは第2のセルのRRUと合成され得、第1のセルの負荷と第2のセルとの負荷の和が第2の負荷しきい値よりも大きいかまたはそれに等しいとき、それらの各々が第1のセルへの強い信号干渉を有し、それの負荷＋第1のセルの負荷が第2の負荷しきい値よりも小さい、一部のRRUが、第2のセルから選択され、合成セルを取得するために第1のセルと合成され得る。合成セルの負荷は増加され、合成セルは再び第1のセルとして使用され得る。合成セルの負荷が第1の負荷しきい値よりも小さいかまたはそれに等しいとき、RRUは、合成セルの負荷が第1の負荷しきい値よりも大きくなるまで合成され続け得る。セル間の干渉がRRU合成によって低減されるように、最も強い信号干渉を有するセルのRRUが、合成されるべきRRUとして選択され、それにより、負荷と干渉との間のバランスが保証され、ネットワーク品質が改善され、ユーザネットワークエクスペリエンスが改善される。
【００７８】
図3は、本出願の一実施形態による制御方法の別の実施形態のフローチャートであり、本方法は以下のステップを含み得る。
【００７９】
ステップ301：BBUのカバレージ内の複数のセルのうちの第1のセルのネットワーク品質が減少すると判定したとき、BBUが第1のセルの負荷情報を判定する。
【００８０】
ステップ302：第1のセルの負荷が第1の負荷しきい値よりも小さいかまたはそれに等しいかどうかを判定し、第1のセルの負荷が第1の負荷しきい値よりも小さいかまたはそれに等しい場合、ステップ303を実行し、あるいは第1のセルの負荷が第1の負荷しきい値よりも大きい場合、プロセスを終了する。
【００８１】
ステップ303：RRUの信号強度に従って、第1のセルの近隣セルのうち、第1のセルへの最も強い信号干渉を有する第2のセルを判定する。
【００８２】
RRUの信号強度は、モバイル端末によって報告される複数の測定値報告から特に取得され、複数の測定値報告は、信号測定中に複数のモバイル端末によって報告される測定値報告を含む。
【００８３】
第1のセルの近隣セルのうち、第1のセルへの最も強い信号干渉を有する第2のセルを判定するステップは、
各測定値報告において第1のセルの各近隣セルの信号強度に対する第1のセルの信号強度の比を計算するステップであって、各測定値報告中のセルの信号強度が、測定値報告中の同じセルに属するすべてのRRUの信号強度の和である、ステップと、
和を取得するために各測定値報告において同じ近隣セルの信号強度に対する第1のセルの信号強度の比を累算し、和を第1のセルと近隣セルとの間の信号干渉の強度として使用するステップと、
第1のセルと各近隣セルとの間の信号干渉の強度に従って、第1のセルへの最も強い信号干渉を有する第2のセルを判定するステップとを特に含み得る。
【００８４】
ステップ304：合成セルを取得するために、第1のセルのRRUを第2のセルのRRUと合成する。
【００８５】
第1のセルのRRUを第2のセルのRRUと合成するステップは、
第1のセルの負荷と第2のセルの負荷との和が第2の負荷しきい値よりも小さいとき、第2のセルのすべてのRRUを第1のセルと合成するステップと、
第1のセルの負荷と第2のセルの負荷との和が第2の負荷しきい値よりも大きいかまたはそれに等しいとき、それの負荷＋第1のセルの負荷が第2の負荷しきい値よりも小さく、第1のセルへの強い信号干渉を有する、第2のセルの少なくとも1つのRRUを第1のセルと合成するステップとを特に含み得る。
【００８６】
図3aに示されているように、可能な一実装様式として、図3aは、この実施形態によるセル合成の方法のフローチャートであり、ステップ304は以下を含み得る。
【００８７】
ステップ3041：第1のセルの負荷と第2のセルの負荷との和が第2の負荷しきい値よりも小さいかどうかを判定し、第1のセルの負荷と第2のセルの負荷との和が第2の負荷しきい値よりも小さい場合、ステップ3042を実行し、あるいは第1のセルの負荷と第2のセルの負荷との和が第2の負荷しきい値よりも大きいかまたはそれに等しい場合、ステップ3043を実行する。
【００８８】
ステップ3042：第2のセルのすべてのRRUを第1のセルと合成する。
【００８９】
ステップ3043：それの負荷＋第1のセルの負荷が第2の負荷しきい値よりも小さく、第1のセルへの最も強い信号干渉を有する、第2のセルのRRUを選択し、そのRRUを第1のセルと合成する。
【００９０】
ステップ3044：第2のセルの残りのRRUの負荷の和が第1の負荷しきい値よりも小さいかまたはそれに等しいかどうかを判定し、第2のセルの残りのRRUの負荷の和が第1の負荷しきい値よりも大きい場合、ステップ3045を実行し、あるいは第2のセルの残りのRRUの負荷の和が第1の負荷しきい値よりも小さいかまたはそれに等しい場合、ステップ3046を実行する。
【００９１】
ステップ3045：それの負荷＋RRUと合成された第1のセルの負荷が第2の負荷しきい値よりも小さく、RRUと合成された第1のセルへの最も強い信号干渉を有する、第2のセルの残りのRRUのうちのRRUを第1のセルと合成し、プロセスがステップ3044に戻る。
【００９２】
ステップ3046：RRUと合成された第1のセルを合成セルとして使用し、新しいセルを形成するために第2のセルの残りのRRUを合成する。
【００９３】
合成セルおよび新しいセルは再び第1のセルとして使用され得、したがって、プロセスはステップ302に戻って続行し得る。
【００９４】
第2のセルの残りのRRUは、第2のセルの、第1のセルと合成されたRRU以外のRRUである。
【００９５】
ステップ305：第1のセルの負荷が第2の負荷しきい値よりも大きいかまたはそれに等しいかどうかを判定し、第1のセルの負荷が第2の負荷しきい値よりも大きいかまたはそれに等しい場合、ステップ306を実行し、あるいは第1のセルの負荷が第2の負荷しきい値よりも小さい場合、プロセスを終了する。
【００９６】
第2の負荷しきい値は、第1のセルが搬送することができる負荷の最大値を制限し、第2の負荷しきい値を超えた場合、セルのネットワーク品質が影響を受け得る。
【００９７】
ステップ306：分割セルの負荷が第2の負荷しきい値よりも小さくなるように、少なくとも1つのRRUをそれぞれ含む複数の分割セルを取得するために、RRUの信号強度に従って第1のセルを分割する。
【００９８】
第1のセルの負荷が第2の負荷しきい値よりも大きいかまたはそれに等しいとき、分割セルの負荷が第2の負荷しきい値よりも小さくなり得るように、少なくとも1つのRRUをそれぞれ含む複数の分割セルを取得するために、第1のセルが分割され得、それにより、ネットワーク品質が改善され、ユーザエクスペリエンスが改善される。
【００９９】
図3bに示されているように、可能な一実装様式として、図3bは、この実施形態によるセルを分割する方法のフローチャートであり、ステップ306は以下を含み得る。
【０１００】
ステップ3061：第1の分割セルを取得するために、すべてのRRUの信号強度に従って第1のセルの2つのRRUを選択し、分割する。ここで、2つのRRUの負荷の和が第2の負荷しきい値よりも小さく、2つのRRUが最も強い信号干渉を有する。
【０１０１】
ステップ3062：第1のセルの残りのRRUの負荷の和が第2の負荷しきい値よりも小さいかどうかを判定し、第1のセルの残りのRRUの負荷の和が第2の負荷しきい値よりも小さい場合、ステップ3063を実行し、あるいは第1のセルの残りのRRUの負荷の和が第2の負荷しきい値よりも大きいかまたはそれに等しい場合、ステップ3064を実行する。
【０１０２】
ステップ3063：第1のセルの残りのRRUを第2の分割セルとして使用する。
【０１０３】
ステップ3064：それの負荷＋第1の分割セルの負荷が第2の負荷しきい値よりも小さく、第1の分割セルへの最も強い信号干渉を有する、第1のセルの残りのRRUのうちのRRUを第1の分割セルと合成し、プロセスがステップ3062に戻って続行する。
【０１０４】
第1のセルの3つ以上のRRUがある場合、ステップ3061の動作が実行される。第1のセルがただ2つのRRUを含むとき、2つのRRUは、第1のセルが2つの分割セルに分割されるように、分割セルをそれぞれ形成し得る。
【０１０５】
第1のセルの残りのRRUは、第1のセルの、合成されたRRU以外のRRUである。
【０１０６】
この実施形態では、第1のセルのネットワーク品質が減少し、第1のセルの負荷が第1の負荷しきい値よりも小さいかまたはそれに等しいとき、第1のセルの近隣セルのうち、第1のセルへの最も強い信号干渉を有する第2のセルが最初に判定され、その結果、第2のセルのRRUが選択され、第1のセルと合成されて、合成セルが取得される。ベースバンドユニットは、合成セルを第1のセルとして使用し、合成セルの負荷が第1の負荷しきい値よりも小さいかまたはそれに等しいどうかを検出して、合成セルの負荷が第1の負荷しきい値よりも大きくなるまで、RRUをさらに合成し得る。第1のセルの負荷が第2の負荷しきい値よりも大きいかまたはそれに等しいとき、分割セルの負荷が第2の負荷しきい値よりも小さくなるように、少なくとも1つのRRUをそれぞれ含む複数の分割セルを取得するために、第1のセルが分割され得る。この実施形態では、RRUを合成することまたはセルを分割することによって、セル間の干渉が低減され得、それにより、負荷と干渉との間のバランスが保証され、ネットワーク品質が改善され、ユーザネットワークエクスペリエンスが改善される。
【０１０７】
説明を手短にするために、上記の方法実施形態は一連のアクションとして表されていることに留意されたい。しかしながら、本出願によれば、いくつかのステップは同時にまたは他の順序で実行され得るので、当業者は、本出願が、アクションの説明する順序に限定されないことを諒解されたい。さらに、当業者は、本明細書で説明する実施形態が例示的な実施形態にすべて属し、関係するアクションおよびモジュールが本出願によって必ずしも必要とされるとは限らないことを諒解されたい。
【０１０８】
図4は、本出願の一実施形態による制御装置の一実施形態の概略構造図であり、本装置は、
BBUのカバレージ内の複数のセルのうちの第1のセルのネットワーク品質が減少すると判定されたとき、第1のセルの負荷情報を判定するように構成された、負荷判定ユニット401と、
第1のセルの負荷が第1の負荷しきい値よりも小さいかまたはそれに等しいとき、リモート無線ユニット（RRU）の信号強度に従って、第1のセルの近隣セルのうち、第1のセルへの最も強い信号干渉を有する第2のセルを判定するように構成された、セル判定ユニット402と、ここで、セルの信号干渉の強度は、測定値報告における測定によって取得されるすべてのRRUの信号強度を使用することによって計算され得、
合成セルを取得するために第1のセルのRRUを第2のセルのRRUと合成するように構成された、セル合成ユニット403とを含み得る。
【０１０９】
信号干渉をさらに低減させるために、第2のセルの、第1のセルへの比較的強い信号干渉を有する少なくとも1つのRRUが、第1のセルのRRUと合成されるべき第2のセルのRRUとして選択され得る。
【０１１０】
合成セルの負荷が第1の負荷しきい値よりも大きいとき、合成セルを適用可能にするために、パラメータ構成などの動作が合成セル上で実行され得る。
【０１１１】
この実施形態では、ベースバンドユニットのカバレージ内の第1のセルのネットワーク品質が減少し、第1のセルの負荷が第1の負荷しきい値よりも小さいかまたはそれに等しいとき、ベースバンドユニットは、第1のセルの近隣セルのうち、第1のセルへの最も強い信号干渉を有する第2のセルを最初に判定して、第2のセルのRRUを選択し、このRRUを第1のセルと合成して合成セルを取得し、それにより、セルの負荷を改善する。合成セルは、再び第1のセルとして判定され得る。合成セルの負荷が第1の負荷しきい値よりも小さいかまたはそれに等しいとき、RRUは、合成セルの負荷が第1の負荷しきい値よりも大きくなるまでさらに合成され得る。セル間の干渉がRRU合成によって低減されるように、最も強い信号干渉を有するセルのRRUが、合成されるべきRRUとして選択され、それにより、負荷と干渉との間のバランスが保証され、ネットワーク品質が改善され、ユーザネットワークエクスペリエンスが改善される。
【０１１２】
図5は、本出願の一実施形態による制御装置の別の実施形態の概略構造図であり、本装置は、
BBUのカバレージ内の複数のセルのうちの第1のセルのネットワーク品質が減少すると判定されたとき、第1のセルの負荷情報を判定するように構成された、負荷判定ユニット501と、
第1のセルの負荷が第1の負荷しきい値よりも小さいかまたはそれに等しいとき、RRUの信号強度に従って、第1のセルの近隣セルのうち、第1のセルへの最も強い信号干渉を有する第2のセルを判定するように構成された、セル判定ユニット502とを含み得る。
【０１１３】
可能な一実装様式として、RRUの信号強度は、測定を実施するようにモバイル端末をトリガすることによって取得され得、測定結果は、測定値報告中で搬送され、モバイル端末によって報告され得る。したがって、RRUの信号強度は、モバイル端末によって報告される複数の測定値報告から取得され得る。
【０１１４】
セル判定ユニット502は、
第1のセルの負荷が第1の負荷しきい値よりも小さいかまたはそれに等しいとき、各測定値報告において第1のセルの各近隣セルの信号強度に対する第1のセルの信号強度の比を計算するように構成された、第1の計算ユニット5021であって、各測定値報告中のセルの信号強度が、測定値報告中の同じセルに属するすべてのRRUの信号強度の和である、第1の計算ユニット5021と、
和を取得するために、第1の計算ユニットによって計算された、各測定値報告において同じ近隣セルの信号強度に対する第1のセルの信号強度の比を累算し、和を第1のセルと近隣セルとの間の信号干渉の強度として使用するように構成された、第2の計算ユニット5022と、
第2の計算ユニットによって計算された、第1のセルと各近隣セルとの間の信号干渉の強度に従って、第1のセルへの最も強い信号干渉を有する第2のセルを判定するように構成された、セル判定サブユニット5023とを含み得る。
【０１１５】
セル合成ユニット503は、合成セルを取得するために、第1のセルのRRUを第2のセルのRRUと合成するように構成される。
【０１１６】
セル合成ユニット503は、
第1のセルの負荷と第2のセルの負荷との和が第2の負荷しきい値よりも小さいとき、第2のセルのすべてのRRUを第1のセルと合成するように構成された、第1の合成ユニット5031と、ここで、第2の負荷しきい値は第1の負荷しきい値よりも大きく、第2の負荷しきい値は、セルが搬送することができる負荷の最大値を制限し、第2の負荷しきい値を超えた場合、セルのネットワーク品質が影響を受け得、
第1のセルの負荷と第2のセルの負荷との和が第2の負荷しきい値よりも大きいかまたはそれに等しいとき、それの負荷＋第1のセルの負荷が第2の負荷しきい値よりも小さく、第1のセルへの強い信号干渉を有する、第2のセルの少なくとも1つのRRUを第1のセルと合成するように構成された、第2の合成ユニット5032とを特に含む。
【０１１７】
第1のセルの負荷と第2のセルの負荷との和が第2の負荷しきい値よりも大きいかまたはそれに等しい場合、第2のセルの一部のRRUのみが選択され、第1のセルと合成され得る。
【０１１８】
それらの各々が第1のセルへの比較的強い信号干渉を有し、それの負荷＋第1のセルの負荷が第2の負荷しきい値よりも小さい、RRUが、第2のセルの一部のRRUとして選択され得る。
【０１１９】
この実施形態では、ベースバンドユニットのカバレージ内の第1のセルのネットワーク品質が減少し、第1のセルの負荷が第1の負荷しきい値よりも小さいかまたはそれに等しいとき、第1のセルの近隣セルのうち、第1のセルへの最も強い信号干渉を有する第2のセルが最初に判定され、その結果、第1のセルの負荷と第2のセルの負荷との和が第2の負荷しきい値よりも小さいとき、第1のセルは第2のセルのRRUと合成され得、第1のセルの負荷と第2のセルとの負荷の和が第2の負荷しきい値よりも大きいかまたはそれに等しいとき、それらの各々が第1のセルへの強い信号干渉を有し、それの負荷＋第1のセルの負荷が第2の負荷しきい値よりも小さい、一部のRRUが、第2のセルから選択され、合成セルを取得するために第1のセルと合成され得る。合成セルの負荷は増加され、合成セルの負荷が第1の負荷しきい値よりも小さいかまたはそれに等しいとき、合成セルは再び第1のセルとして使用され得、したがって、RRUは、合成セルの負荷が第1の負荷しきい値よりも大きくなるまで合成され続け得る。セル間の干渉がRRU合成によって低減されるように、最も強い信号干渉を有するセルのRRUが、合成されるべきRRUとして選択され、それにより、負荷と干渉との間のバランスが保証され、ネットワーク品質が改善され、ユーザネットワークエクスペリエンスが改善される。
【０１２０】
図6は、本出願の一実施形態による制御装置の別の実施形態の概略構造図であり、本装置は、
BBUのカバレージ内の複数のセルのうちの第1のセルのネットワーク品質が減少すると判定されたとき、第1のセルの負荷情報を判定するように構成された、負荷判定ユニット601と、
第1のセルの負荷が第1の負荷しきい値よりも小さいかまたはそれに等しいとき、リモート無線ユニット（RRU）の信号強度に従って、第1のセルの近隣セルのうち、第1のセルへの最も強い信号干渉を有する第2のセルを判定するように構成された、セル判定ユニット602とを含み得る。
【０１２１】
RRUの信号強度は、測定を実施するようにモバイル端末をトリガすることによって取得され得、測定結果は、測定値報告中で搬送され、モバイル端末によって報告され得る。したがって、RRUの信号強度は、モバイル端末によって報告される複数の測定値報告から取得され得る。
【０１２２】
セル判定ユニットは、
第1のセルの負荷が第1の負荷しきい値よりも小さいかまたはそれに等しいとき、各測定値報告において第1のセルの各近隣セルの信号強度に対する第1のセルの信号強度の比を計算するように構成された、第1の計算ユニットであって、各測定値報告中のセルの信号強度が、測定値報告中の同じセルに属するすべてのRRUの信号強度の和である、第1の計算ユニットと、
和を取得するために、第1の計算ユニットによって計算された、各測定値報告において同じ近隣セルの信号強度に対する第1のセルの信号強度の比を累算し、和を第1のセルと近隣セルとの間の信号干渉の強度として使用するように構成された、第2の計算ユニットと、
第2の計算ユニットによって計算された、第1のセルと各近隣セルとの間の信号干渉の強度に従って、第1のセルへの最も強い信号干渉を有する第2のセルを判定するように構成された、セル判定サブユニットとを含み得る。
【０１２３】
セル合成ユニット603は、合成セルを取得するために、第1のセルのRRUを第2のセルのRRUと合成するように構成される。
【０１２４】
可能な一実装様式として、セル合成ユニット603は、
第1のセルの負荷と第2のセルの負荷との和が第2の負荷しきい値よりも小さいとき、第2のセルのすべてのRRUを第1のセルと合成するように構成された、第1の合成ユニット6031と、
第1のセルの負荷と第2のセルの負荷との和が第2の負荷しきい値よりも大きいかまたはそれに等しいとき、それの負荷＋第1のセルの負荷が第2の負荷しきい値よりも小さく、第1のセルへの強い信号干渉を有する、第2のセルの少なくとも1つのRRUを第1のセルと合成するように構成された、第2の合成ユニット6032とを含み得る。
【０１２５】
可能な一実装様式として、第2の合成ユニット6032は、
それの負荷＋第1のセルの負荷が第2の負荷しきい値よりも小さく、第1のセルへの最も強い信号干渉を有する、第2のセルのRRUを第1のセルと合成するように構成された、第1の合成サブユニット611と、
第2のセルの残りのRRUの負荷の和が第1の負荷しきい値よりも小さくなるまで、第2のセルの残りのRRUのうちのRRUを第1のセルと合成する動作を繰り返し実行するように構成された、第2の合成サブユニット612であって、RRUの負荷と、RRUと合成された第1のセルの負荷との和が第2の負荷しきい値よりも小さく、RRUが、RRUと合成された第1のセルへの最も強い信号干渉を有し、第2のセルの残りのRRUが、第1のセルと合成されたRRUを除く第2のセルのRRUである、第2の合成サブユニット612とを含み得る。
【０１２６】
合成後の最終的な第1のセルが合成セルとして使用され、第2のセルの残りのRRUは新しいセルを形成し、合成セルおよび新しいセルも第1のセルとして判定され得、その結果、セル合成の動作が実行され続ける。
【０１２７】
セル分割ユニット604は、第1のセルの負荷が第2の負荷しきい値よりも大きいかまたはそれに等しいとき、分割セルの負荷が第2の負荷しきい値よりも小さくなるように、少なくとも1つのRRUをそれぞれ含む複数の分割セルを取得するために、すべてのリモート無線ユニット（RRU）の信号強度に従って第1のセルを分割するように構成され、第2の負荷しきい値が第1の負荷しきい値よりも大きい。
【０１２８】
可能な一実装様式として、セル分割ユニット604は、
第1の分割セルを取得するために第1のセルの2つのRRUを選択し合成するように構成された、第1の分割ユニット6041であって、2つのRRUの負荷の和が第2の負荷しきい値よりも小さく、2つのRRUが最も強い信号干渉を有する、第1の分割ユニット6041と、
第1のセルの残りのRRUの負荷の和が第2の負荷しきい値よりも小さいとき、残りのRRUを第2の分割セルとして使用するように構成された、第2の分割ユニット6042と、
第1のセルの残りのRRUの負荷の和が第2の負荷しきい値よりも大きいかまたはそれに等しいとき、それの負荷＋第1の分割セルの負荷が第2の負荷しきい値よりも小さく、第1の分割セルへの最も強い信号干渉を有する、第1のセルの残りのRRUのうちのRRUを第1の分割セルと合成するように構成された、第3の分割ユニット6043と、
第1のセルの残りのRRUの負荷の和が第2の負荷しきい値よりも小さくなるまで、第1のセルの残りのRRUのうちのRRUを第1の分割セルと合成する動作を繰り返し実行するように構成された、第4の分割ユニット6044であって、RRUの負荷と、RRUと合成された第1の分割セルの負荷との和が第2の負荷しきい値よりも小さく、RRUが、RRUと合成された第1の分割セルへの最も強い信号干渉を有し、第1のセルの残りのRRUが、合成されたRRUを除く第1のセルのRRUである、第4の分割ユニット6044とを含み得る。
【０１２９】
セル分割ユニットは、第1のセルの3つ以上のRRUがある場合、分割動作を実行する。第1のセルがただ2つのRRUを含むとき、2つのRRUは、第1のセルが2つの分割セルに分割されるように、分割セルをそれぞれ形成し得る。
【０１３０】
この実施形態では、ベースバンドユニットのカバレージ内の第1のセルのネットワーク品質が減少し、第1のセルの負荷が第1の負荷しきい値よりも小さいかまたはそれに等しいとき、ベースバンドユニットは、第1のセルの近隣セルのうち、第1のセルへの最も強い信号干渉を有する第2のセルを最初に判定し、その結果、第2のセルのRRUが選択され、第1のセルと合成されて、合成セルが取得される。第1のセルの負荷が第2の負荷しきい値よりも大きいかまたはそれに等しいとき、分割セルの負荷が第2の負荷しきい値よりも小さくなるように、少なくとも1つのRRUをそれぞれ含む複数の分割セルを取得するために、第1のセルが分割され得る。この実施形態では、RRUを合成することまたはセルを分割することによって、セル間の干渉が低減され得、それにより、負荷と干渉との間のバランスが保証され、ネットワーク品質が改善され、ユーザネットワークエクスペリエンスが改善される。
【０１３１】
実際の適用例では、図4から図6に示された制御装置はBBUに適用され得、この実施形態における制御装置のBBUの展開によって、ネットワーク品質が減少したとき、ネットワーク品質は、RRUを合成するかまたはセルを分割することによって増加され、セル間の干渉は低減され得、負荷と干渉との間のバランスが保証され得、ユーザネットワークエクスペリエンスが改善され得る。
【０１３２】
上記の説明に基づいて、当業者は、本出願が、ソフトウェア＋必要なユニバーサルハードウェアプラットフォームによって実装され得ることを明確に理解されよう。本出願の一実施形態は、ベースバンドユニットの一実施形態の概略構造図をさらに提供する。ベースバンドユニットは、少なくとも、プロセッサ701と、バスを使用することによってプロセッサ701に別々に接続された、メモリ702および送信機703とを含む。
【０１３３】
メモリ702は、プログラム命令のグループを記憶する。メモリは、高速RAMメモリであり得るか、または、少なくとも1つの磁気ディスクメモリなど、不揮発性メモリ（non-volatile memory）であり得る。
【０１３４】
プロセッサ701は、
BBUのカバレージ内の複数のセルのうちの第1のセルのネットワーク品質が減少すると判定されたとき、第1のセルの負荷情報を判定する動作と、
第1のセルの負荷が第1の負荷しきい値よりも小さいかまたはそれに等しいとき、リモート無線ユニット（RRU）の信号強度に従って、第1のセルの近隣セルのうち、第1のセルへの最も強い信号干渉を有する第2のセルを判定する動作と、
合成セルを取得するために第1のセルのRRUを第2のセルのRRUと合成する動作とを実行するために、メモリ702に記憶されたプログラムコードを呼び出すように構成される。
【０１３５】
プロセッサは、中央処理ユニット（CPU）または特定用途向け集積回路（Application Specific Integrated Circuit、ASIC）であり得るか、あるいは本発明の実施形態を実装する1つまたは複数の集積回路として構成される。
【０１３６】
場合によっては、ベースバンドユニットは、本出願の実施形態に従って図1から図3に示されたいずれかの制御方法を実施するために使用され得る。
【０１３７】
本明細書中の実施形態は、すべて漸進的様式で説明され、実施形態中の同じまたは同様の部分について、これらの実施形態への参照が行われ得、各実施形態は、他の実施形態との差異に焦点を当てる。本実施形態で開示する装置は、本実施形態で開示する方法と基本的に同様であり、したがって手短に説明される。関係する部分について、方法の部分的説明への参照が行われ得る。
【０１３８】
最後に、本明細書では、第1のおよび第2のなどの関係語は、あるエンティティまたは動作を別のエンティティまたは動作と区別するためにのみ使用され、これらのエンティティまたは動作間に何らかの実際の関係または順序が存在することを必ずしも必要とせず、または暗示しないことに留意されたい。その上、「含む（include）」、「備える（comprise）」という用語、またはそれらの任意の他の異形は、要素の列挙を含むプロセス、方法、物品、またはデバイスが、それらの要素を含むだけでなく、明確に列挙されない他の要素をも含むか、あるいはそのようなプロセス、方法、物品、またはデバイスに固有の要素をもさらに含むように、非排他的包含をカバーすることが意図される。「…を含む」に先行する要素は、さらなる制約なしに、その要素を含むプロセス、方法、物品、またはデバイスにおいて追加の同等の要素の存在を妨げない。
【０１３９】
説明しやすいように、上記の装置は、機能を様々なユニットに分割することによって説明した。もちろん、本出願の実装中に、各ユニットの機能は、同じまたは複数のソフトウェアおよび／またはハードウェアにおいて実装され得る。
【０１４０】
実装様式についての上記の説明に基づいて、当業者は、本出願が、必要な汎用ハードウェアプラットフォームに加えてソフトウェアによって実装され得ることを明確に理解されよう。そのような理解に基づいて、本出願の技術的解決策は本質的に、または従来技術に寄与する部分は、ソフトウェア製品の形態で実装され得る。コンピュータソフトウェア製品は、ROM／RAM、磁気ディスク、または光ディスクなどの記憶媒体に記憶され得、本出願の実施形態または実施形態のいくつかの部分で説明した方法を実施するように（パーソナルコンピュータ、サーバ、ネットワークデバイスなどであり得る）コンピュータデバイスに命令するためのいくつかの命令を含む。
【０１４１】
開示する実施形態についての上記の説明は、当業者が本出願を実装または使用することを可能にする。本実施形態への様々な変更は当業者に明らかであり、本明細書において定義される一般的原理は、本出願の趣旨または範囲から逸脱することなく他の実施形態において実装され得る。したがって、本出願は、本明細書で説明した実施形態に限定されるものではなく、本明細書で開示する原理および新規性に適合する最も広い範囲に及ぶ。
【符号の説明】
【０１４２】
401  負荷判定ユニット
402  セル判定ユニット
403  セル合成ユニット
501  負荷判定ユニット
502  セル判定ユニット
5021  第1の計算ユニット
5022  第2の計算ユニット
5023  セル判定サブユニット
503  セル合成ユニット
5031  第1の合成ユニット
5032  第2の合成ユニット
601  負荷判定ユニット
602  セル判定ユニット
603  セル合成ユニット
6031  第1の合成ユニット
6032  第2の合成ユニット
604  セル分割ユニット
6041  第1の分割ユニット
6042  第2の分割ユニット
6043  第3の分割ユニット
6044  第4の分割ユニット
611  第1の合成サブユニット
612  第2の合成サブユニット
【図１】
0006292642.tif 000006
【図２】
0006292642.tif 000007
【図３】
0006292642.tif 000008
【図３ａ】
0006292642.tif 000009
【図３ｂ】
0006292642.tif 000010
【図４】
0006292642.tif 000011
【図５】
0006292642.tif 000012
【図６】
0006292642.tif 000013